(57)【要約】【課題】凸部を有する被収納物を複数収納できると共に、凸部に何ら影響を与えることなく重ね合わせることができ、しかも重ね合わせたときの全体の高さを極力低減すること。【解決手段】凸部Ｍ１を有する被収納物Ｍを収納するトレーであって、薄板と、互いに直交する縦方向及び横方向の２方向に沿って格子状に並んだ状態で該薄板に凹み形成され、被収納物を内部に収納する複数の収納部１１と、薄板の残りの領域のうち隣り合う収納部の開口の間に位置し、薄板の下面側に谷間状に窪んだ隙間１６が確保された隙間領域１５と、をそれぞれ有する互いに重ね合わせ可能とされた第１の収納トレー２及び第２の収納トレー３を備え、両トレーを予め決められた向きで重ね合わせた時に、上段側のトレーの隙間が下段側のトレーの収納部の上方に位置する収納トレーを提供する。【選択図】図９
2010006417.tif 000002
【特許請求の範囲】
【請求項１】
上面の一部に凸部を有する被収納物を収納する収納トレーであって、
薄板と、
互いに直交する縦方向及び横方向の２方向に沿って格子状に並んだ状態で、薄板の上面側が開口となるように該薄板に凹み形成され、前記被収納物を内部に収納する複数の有底状の収納部と、
薄板の残りの領域のうち隣り合う収納部の開口の間に位置し、薄板の下面側に谷間状に窪んだ隙間が確保された隙間領域と、
をそれぞれ有する互いに重ね合わせ可能とされた第１の収納トレー及び第２の収納トレーを備え、
前記第１の収納トレーと前記第２の収納トレーとを予め決められた向きで重ね合わせた時に、上段側のトレーの前記隙間が下段側のトレーの前記収納部の上方に位置することを特徴とする収納トレー。
【請求項２】
請求項１に記載の収納トレーにおいて、
前記薄板には、重ね合わせる際の向きを認識するための目印が形成されていることを特徴とする収納トレー。
【請求項３】
請求項１又は２に記載の収納トレーにおいて、
前記薄板の外縁の少なくとも一部分には、該薄板の上方に向けて折曲された後、薄板の下方に向けて折曲された膨出部が形成され、
前記第１の収納トレーと前記第２の収納トレーとを重ねた時に、前記膨出部同士が重なり合うことで両トレーが前記２方向に対して位置決めされることを特徴とする収納トレー。
【請求項４】
請求項１から３のいずれか１項に記載の収納トレーにおいて、
前記薄板から前記収納部よりも下方に突出するように形成された複数の突起部と、
前記薄板に形成され、前記第１の収納トレーと前記第２の収納トレーとを予め決められた向きで重ね合わせた時に前記突起部が嵌り込んで収容される複数の嵌合孔と、を備え、
前記複数の突起部は、前記第１の収納トレーと前記第２の収納トレーとを予め決められた向きとは異なる向きで重ね合わせた時に、前記隙間領域の上面と前記収納部に収納された前記被収納物の上面とのうち少なくともいずれか一方に当接することを特徴とする収納トレー。
【請求項５】
請求項１から４のいずれか１項に記載の収納トレーにおいて、
前記第１の収納トレー及び前記第２の収納トレーは、同一のトレーであり、
前記複数の収納部は、前記第１の収納トレーと前記第２の収納トレーとを同じ向きで重ねた時に、それぞれの収納部が重なり合うと共に、第１の収納トレーに対して第２の収納トレーを前記２方向に直交する垂直軸回りに１８０度回転させた状態で両トレーを重ねた時に、上段側のトレーの前記隙間が下段側のトレーの前記収納部の上方に位置するように形成されていることを特徴とする収納トレー。
【請求項６】
請求項１から５のいずれか１項に記載の収納トレーにおいて、
前記薄板は、前記横方向の長さよりも前記縦方向の長さが長い平面視矩形状に形成され、
前記複数の収納部は、前記縦方向に対しては前記薄板の横中心ラインを中心として左右対称に形成されると共に、前記横方向に対しては前記薄板の縦中心ラインを中心として左右非対称に形成されていることを特徴とする収納トレー。
【請求項７】
請求項６に記載の収納トレーにおいて、
前記複数の収納部は、一定間隔を空けた状態で前記横方向に複数列並ぶように形成されていると共に、両端の２列に並んだ収納部が前記薄板の外縁からそれぞれ下記に示す距離だけ離間していることを特徴とする収納トレー。
一方の列に並んだ前記収納部が距離Ｂ1だけ離間し、他方の列に並んだ前記収納部が距離〔Ｂ1＋（Ｄ＋Ｂ0）／２〕だけ離間。
Ｄ；前記収納部の横方向の長さ
Ｂ0；前記一定間隔
【請求項８】
上面の一部に凸部を有する被収納物を収納する収納トレーであって、
薄板と、
互いに直交する縦方向及び横方向の２方向に沿って格子状に並んだ状態で薄板に凹み形成され、前記凸部を下向きにした状態で前記被収納物を内部に収納する複数の有底状の収納部と、
これら複数の収納部の間で薄板に凹み形成された窪み部と、
をそれぞれ有する互いに重ね合わせ可能とされた第１の収納トレー及び第２の収納トレーを備え、
前記第１の収納トレーと前記第２の収納トレーとを予め決められた向きで重ね合わせた時に、上段側のトレーの前記収納部が下段側のトレーの前記窪み部の上方に位置すると共に、収納部の一部が窪み部内に入り込んで収容されることを特徴とする収納トレー。
【請求項９】
請求項８に記載の収納トレーにおいて、
前記薄板には、重ね合わせる際の向きを認識するための目印が形成されていることを特徴とする収納トレー。
【請求項１０】
請求項８又は９に記載の収納トレーにおいて、
前記薄板の外縁の少なくとも一部分には、該薄板の上方に向けて折曲された後、薄板の下方に向けて折曲された膨出部が形成され、
前記第１の収納トレーと前記第２の収納トレーとを重ねた時に、前記膨出部同士が重なり合うことで両トレーが前記２方向に対して位置決めされることを特徴とする収納トレー。
【請求項１１】
請求項８から１０のいずれか１項に記載の収納トレーにおいて、
前記薄板から前記収納部よりも下方に突出するように形成された複数の突起部と、
前記薄板に形成され、前記第１の収納トレーと前記第２の収納トレーとを予め決められた向きで重ね合わせた時に前記突起部が嵌り込んで収容される複数の嵌合孔と、を備え、
前記複数の突起部は、前記第１の収納トレーと前記第２の収納トレーとを予め決められた向きとは異なる向きで重ね合わせた時に、前記収納部に収納された前記被収納物に当接することを特徴とする収納トレー。
【請求項１２】
請求項８から１１のいずれか１項に記載の収納トレーにおいて、
前記第１の収納トレー及び前記第２の収納トレーは、同一のトレーであり、
前記複数の収納部は、前記第１の収納トレーと前記第２の収納トレーとを同じ向きで重ねた時に、それぞれの収納部が重なり合うと共に、第１の収納トレーに対して第２の収納トレーを前記２方向に直交する垂直軸回りに１８０度回転させた状態で両トレーを重ねた時に、上段側のトレーの前記収納部が下段側のトレーの前記窪み部の上方に位置するように形成されていることを特徴とする収納トレー。
【請求項１３】
請求項８から１２のいずれか１項に記載の収納トレーにおいて、
前記薄板は、前記横方向の長さよりも前記縦方向の長さが長い平面視矩形状に形成され、
前記複数の収納部は、前記縦方向に対しては前記薄板の横中心ラインを中心として左右対称に形成されると共に、前記横方向に対しては前記薄板の縦中心ラインを中心として左右非対称に形成されていることを特徴とする収納トレー。
【請求項１４】
請求項１３に記載の収納トレーにおいて、
前記複数の収納部は、一定間隔を空けた状態で前記横方向に複数列並ぶように形成されていると共に、両端の２列に並んだ収納部が前記薄板の外縁からそれぞれ下記に示す距離だけ離間していることを特徴とする収納トレー。
一方の列に並んだ前記収納部が距離Ｂ1だけ離間し、他方の列に並んだ前記収納部が距離〔Ｂ1＋（Ｄ＋Ｂ0）／２〕だけ離間。
Ｄ；前記収納部の横方向の長さ
Ｂ0；前記一定間隔
【請求項１５】
請求項１から１４のいずれか１項に記載の収納トレーと、
上面の一部に凸部を有し、前記収納トレーの前記収納部に収納された被収納物と、を備えていることを特徴とする収納体。
【請求項１６】
請求項１５に記載の収納体において、
前記凸部は、指針軸であり、
前記被収納物は、時計駆動装置であることを特徴とする収納体。
【発明の詳細な説明】
【技術分野】
【０００１】
本発明は、機械時計や電子部品等の被収納物を収納する収納トレーに関するものである。特に、厚み方向に突出した凸部を一部に有する被収納物、例えば、指針軸（凸部）を有する時計駆動装置（時計ムーブメント）を保管、搬送するために用いる収納トレー及びこれを備える収納体に関するものである。
【背景技術】
【０００２】
時計ムーブメントを代表とする小型の機械部品や電子部品を保管、搬送するには、一般的に、これらを収納する収納部が複数形成された収納トレーが用いられている。つまり、複数の収納部内にそれぞれ収納することで、１枚の収納トレーで複数の被収納物を保管したり、搬送したりすることができる。
ところで、この種の被収納物は、通常大量生産されるものであるので、保管、搬送する場合には収納トレーを複数枚重ねて取り扱っている。例えば、１枚の収納トレーに数十個から百個程度の被収納物を収納し、該収納トレーを数十段から百段程度重ねて取り扱っている。
【０００３】
このような収納トレーの１つとして、指針軸を有する時計ムーブメントを収納するケース体が知られている（特許文献１参照）。
このケース体は、熱可塑性の樹脂をフォーミング加工して形成されたものであり、全面に亘って時計ムーブメントを収納するための収納部が複数形成されている。これら各収納部は、ケース体の上面から凹んだ凹部であり、その中央には台形状凸部が形成されている。これにより、時計ムーブメントを収納部に収納した場合には、台形状凸部の上面に載置された状態で収納されるようになっている。
そして、これらケース体を多段に重ねることで、一度に大量に時計ムーブメントを保管したり、搬送したりすることが可能とされている。
【０００４】
ところで、時計ムーブメントのような小型の部品は、破損し易いものであるので、収納する場合には注意を要する必要がある。特に、指針軸が突出しているので、該指針軸に触れてしまわないように取り扱う必要がある。
この点、上述したケース体は、時計ムーブメントが載置される台形状凸部の裏側に空間が形成されるようになっている。そのため、ケース体を多段に重ね合わせたとしても、１段目の収納トレーに収納された時計ムーブメントの指針軸が、２段目の収納トレーに形成された台形状凸部の裏面側に形成された空間内に入り込むようになっている。従って、指針軸に何ら影響を与えることなく、ケース体を多段に重ね合わせることができるようになっている。
このように、ケース体は、指針軸を有する時計ムーブメントのように、凸部を一部に有する被収納物を収納するトレーとして好適に使用される。
【特許文献１】実開昭６０−１３３８５号公報
【発明の開示】
【発明が解決しようとする課題】
【０００５】
しかしながら、従来の収納トレーであるケース体は、多段に重ねたときに指針軸への干渉を防ぐための台形状凸部が形成されているので、どうしても厚みが厚くなってしまうものであった。そのため、ケース体を多段に重ねてしまうと、段数の割には高くなってしまったり、重量が重くなったりするので取り扱い難いものであった。
特に、収納トレーを重ねた後に人手によって搬送する場合には、かさばると共に重量が重いので搬送する者への負担が大きくなってしまう。そのため、重ね合わせる段数が制限されてしまい、効率の良い搬送を行えなかった。また、トラック便や航空便等として運送する場合には、容積によって運送費が変わるので、段数と運送費とのバランスが合わず、コスト高を招いてしまうものであった。
【０００６】
本発明は、このような事情に考慮してなされたもので、その目的は、凸部を有する被収納物を複数収納できると共に、凸部に何ら影響を与えることなく重ね合わせることができ、しかも、重ね合わせたときの全体の高さを極力低減することができる収納トレー及びこれを備える収納体を提供することである。
【課題を解決するための手段】
【０００７】
本発明は、前記課題を解決するために以下の手段を提供する。
本発明に係る収納トレーは、上面の一部に凸部を有する被収納物を収納する収納トレーであって、薄板と、互いに直交する縦方向及び横方向の２方向に沿って格子状に並んだ状態で、薄板の上面側が開口となるように該薄板に凹み形成され、前記被収納物を内部に収納する複数の有底状の収納部と、薄板の残りの領域のうち隣り合う収納部の開口の間に位置し、薄板の下面側に谷間状に窪んだ隙間が確保された隙間領域と、をそれぞれ有する互いに重ね合わせ可能とされた第１の収納トレー及び第２の収納トレーを備え、前記第１の収納トレーと前記第２の収納トレーとを予め決められた向きで重ね合わせた時に、上段側のトレーの前記隙間が下段側のトレーの前記収納部の上方に位置することを特徴とする。
【０００８】
この発明に係る収納トレーにおいては、第１の収納トレー及び第２の収納トレーにそれぞれ複数の被収納物を複数収納した状態で、両トレーを交互に重ね合わせることができる。そのため、一度に大量の被収納物を収納でき、保管や搬送等を行うことができる。
詳細に説明すると、まず、第１の収納トレー及び第２の収納トレーには、薄板に複数の収納部が形成されている。この収納部は、薄板の上面側が開口となるように凹み形成された有底状のものであるので、被収納物を真上から容易且つ確実に収納することができる。この際、凸部が上方を向くように被収納物を収納する。これにより、両トレーに複数の被収納物をそれぞれ収納することができる。
【０００９】
続いて、被収納物が収納された両トレーを予め決められた向きで重ね合わせる。この際、第１の収納トレーに第２の収納トレーを重ねても構わないし、第２の収納トレーに第１の収納トレーを重ねても構わない。いずれにしても、両トレーを予め決められた向きで重ねると、上段側のトレーの隙間、即ち、凹み形成によって突出した収納部間に形成された谷間状の窪みが、下段側のトレーの収納部の上方に位置するようになっている。そのため、下段側のトレーに収納されている被収納物の上方に、空間を確保することができる。従って、被収納物の凸部が薄板の上面から飛び出るほど両トレーの厚みを薄くしたとしても、重ね合わせた際に上段側のトレーが凸部に接触することがなく、該凸部に何ら影響（負荷）を与えることがない。よって、重ね合わせた時の全体の高さを極力低減することができると同時に、凸部への衝突を未然に防いで悪影響を与えてしまうことを防止することができる。
【００１０】
また、本発明に係る収納トレーは、上記本発明の収納トレーにおいて、前記薄板には、重ね合わせる際の向きを認識するための目印が形成されていることを特徴とする。
【００１１】
この発明に係る収納トレーにおいては、薄板に方向認識用の目印が形成されているので、手動或いはロボット等の機械で自動的に第１の収納トレーと第２の収納トレーとを重ねる際に、向きを間違えることなく両トレーを確実に予め決められた向きで重ね合わせることができる。従って、重ね合わせ作業をより効率良く行うことができる。特に、ロボット等の機械で重ね合わせ作業を行う場合には、目印を指標としてプログラミングできるので、制御が非常に容易になる。
【００１２】
また、本発明に係る収納トレーは、上記本発明の収納トレーにおいて、前記薄板の外縁の少なくとも一部分には、該薄板の上方に向けて折曲された後、薄板の下方に向けて折曲された膨出部が形成され、前記第１の収納トレーと前記第２の収納トレーとを重ねた時に、前記膨出部同士が重なり合うことで両トレーが前記２方向に対して位置決めされることを特徴とする。
【００１３】
この発明に係る収納トレーにおいては、薄板の外縁に膨出部が形成されているので、第１の収納トレーと第２の収納トレーとを重ね合わせる際に、膨出部を重ね初めの手掛かりとして利用できる。よって、よりスピーディに重ね合わせ作業を行うことができる。しかも、膨出部同士が重なり合うことで、両トレーが縦方向及び横方向の２方向（面内方向）に対して位置決めされるので、重ね合わせの途中でずれてしまうことがない。従って、より安定した状態で重ね合わせを行うことができると共に、被収納物の凸部に対して何ら負荷を与えない状態を確実に維持し続けることができる。なお、膨出部は、薄板の外縁の全周に亘って或いは外縁の一部分に形成されていれば良い。つまり、外縁の少なくとも一部分に形成されていれば良い。
【００１４】
また、本発明に係る収納トレーは、上記本発明の収納トレーにおいて、前記薄板から前記収納部よりも下方に突出するように形成された複数の突起部と、前記薄板に形成され、前記第１の収納トレーと前記第２の収納トレーとを予め決められた向きで重ね合わせた時に前記突起部が嵌り込んで収容される複数の嵌合孔と、を備え、前記複数の突起部が、前記第１の収納トレーと前記第２の収納トレーとを予め決められた向きとは異なる向きで重ね合わせた時に、前記隙間領域の上面と前記収納部に収納された前記被収納物の上面とのうち少なくともいずれか一方に当接することを特徴とする。
【００１５】
この発明に係る収納トレーにおいては、第１の収納トレーと第２の収納トレーとを重ね合わせる際に、予め決められた向きではなく間違って異なる向きで重ねてしまった場合であっても、被収納物の凸部に負荷が加わってしまうことを防止することができる。
詳細に説明すると、異なった向きで両トレーを重ねてしまった場合には、上段側のトレーに形成された突起部が、下段側のトレーの隙間領域の上面又は収納されている被収納物の凸部を除く上面のうち、少なくともいずれか一方に当接する。しかも突起部は、収納部よりも下方に突出するように形成されているので、両トレーが完全に重なり合うよりも前に当接する。そのため、両トレーがこれ以上重なり合うことがない。よって、凸部に上段側のトレーが接触する等して負荷を与えてしまうことを防止することができる。その結果、被収納物の品質を維持することができ、より信頼性の高い収納トレーとすることができる。
【００１６】
一方、両トレーを予め決められた向きで重ね合わせた場合には、上段側のトレーに形成された突起部は、下段側のトレーに形成された嵌合孔内に嵌り込んで収容される。そのため、突起部に邪魔されることなく、両トレーを完全に重ね合わせることができる。
【００１７】
また、本発明に係る収納トレーは、上記本発明の収納トレーにおいて、前記第１の収納トレー及び前記第２の収納トレーが、同一のトレーであり、前記複数の収納部が、前記第１の収納トレーと前記第２の収納トレーとを同じ向きで重ねた時に、それぞれの収納部が重なり合うと共に、第１の収納トレーに対して第２の収納トレーを前記２方向に直交する垂直軸回りに１８０度回転させた状態で両トレーを重ねた時に、上段側のトレーの前記隙間が下段側のトレーの前記収納部の上方に位置するように形成されていることを特徴とする。
【００１８】
この発明に係る収納トレーにおいては、第１の収納トレーと第２の収納トレーとが別物ではなく、複数の収納部の配置等が全く同じ同一のトレーとされている。
この際、複数の収納部は、両トレーを同じ向きで重ねた時に重なり合い、第１の収納トレーに対して第２の収納トレーを１８０度回転させて反対向きにした状態で重ねた時に、上段側のトレーの隙間が下段側のトレーの収納部の上方に位置するように形成されている。よって、予め決められた向きで重ね合わせるとは、両トレーを同じ向きにした状態から、一方のトレーを１８０度回転させて反対向きにした状態で重ね合わせることである。これにより、被収納物の凸部に何ら負荷を与えることなく、両トレーを重ね合わせることができる。
特に、両トレーを同一のトレーとすることができるので、トレーを安価に作製することができ、被収納物の低コスト化に繋げることができる。
【００１９】
また、本発明に係る収納トレーは、上記本発明の収納トレーにおいて、前記薄板が、前記横方向の長さよりも前記縦方向の長さが長い平面視矩形状に形成され、前記複数の収納部が、前記縦方向に対しては前記薄板の横中心ラインを中心として左右対称に形成されると共に、前記横方向に対しては前記薄板の縦中心ラインを中心として左右非対称に形成されていることを特徴とする。
【００２０】
この発明に係る収納トレーにおいては、複数の収納部が、縦方向に対しては薄板の横中心ラインを中心として左右対称に形成され、横方向に対しては薄板の縦中心ラインを中心として左右非対称に形成されているので、第１の収納トレーと第２の収納トレーとを予め決められた向きで重ね合わせた時に、両トレーの収納部が横方向に半ピッチずれた状態となって重なり合う。この状態で、被収納物の凸部に何ら負荷を与えることなく両トレーを重ね合わせることができる。
【００２１】
また、本発明に係る収納トレーは、上記本発明の収納トレーにおいて、前記複数の収納部が、一定間隔を空けた状態で前記横方向に複数列並ぶように形成されていると共に、両端の２列に並んだ収納部が前記薄板の外縁からそれぞれ下記に示す距離だけ離間していることを特徴とする。
一方の列に並んだ前記収納部が距離Ｂ1だけ離間し、他方の列に並んだ前記収納部が距離〔Ｂ1＋（Ｄ＋Ｂ0）／２〕だけ離間。
Ｄ；前記収納部の横方向の長さ
Ｂ0；前記一定間隔
【００２２】
この発明に係る収納トレーにおいては、複数の収納部が、一定間隔を空けた状態で横方向に複数列並ぶように形成されており、両端の２列のうち、一方の列に並んだ収納部が薄板の外縁から距離Ｂ1だけ離間し、他方の列に並んだ収納部が薄板の外縁から距離〔Ｂ1＋（Ｄ＋Ｂ0）／２〕だけ離間するように形成されている。そのため、両トレーを予め決められた向きで重ね合わせた時に、両トレーの収納部は確実に横方向に半ピッチずれた状態となって重なり合う。
【００２３】
また、本発明に係る収納トレーは、上面の一部に凸部を有する被収納物を収納する収納トレーであって、薄板と、互いに直交する縦方向及び横方向の２方向に沿って格子状に並んだ状態で薄板に凹み形成され、前記凸部を下向きにした状態で前記被収納物を内部に収納する複数の有底状の収納部と、これら複数の収納部の間で薄板に凹み形成された窪み部と、をそれぞれ有する互いに重ね合わせ可能とされた第１の収納トレー及び第２の収納トレーを備え、前記第１の収納トレーと前記第２の収納トレーとを予め決められた向きで重ね合わせた時に、上段側のトレーの前記収納部が下段側のトレーの前記窪み部の上方に位置すると共に、収納部の一部が窪み部内に入り込んで収容されることを特徴とする。
【００２４】
この発明に係る収納トレーにおいては、第１の収納トレー及び第２の収納トレーにそれぞれ複数の被収納物を複数収納した状態で、両トレーを交互に重ね合わせることができる。そのため、一度に大量の被収納物を収納でき、保管や搬送等を行うことができる。
詳細に説明すると、まず、第１の収納トレー及び第２の収納トレーには、薄板に複数の収納部が形成されている。この収納部は、薄板の上面側が開口となるように凹み形成された有底状のものであるので、被収納物を真上から容易且つ確実に収納することができる。この際、凸部が下方を向くように被収納物を収納する。これにより、両トレーに複数の被収納物をそれぞれ収納することができる。特に、凸部が収納部内で保護されるので、凸部が外部から何ら影響（負荷）を受けることがない。
【００２５】
続いて、被収納物が収納された両トレーを予め決められた向きで重ね合わせる。この際、第１の収納トレーに第２の収納トレーを重ねても構わないし、第２の収納トレーに第１の収納トレーを重ねても構わない。いずれにしても、両トレーを予め決められた向きで重ねると、上段側のトレーの収納部が、下段側のトレーの窪み部の上方に位置すると共に、収納部の一部が窪み部内に入り込んで収容される。従って、被収納物の凸部を収納するために収納部の一部がトレーの下方に向けて突出していたとしても、この突出している部分の厚みを窪み部で吸収することができる。よって、重ね合わせた時の全体の高さを極力低減することができる。しかも、被収納物の凸部は、収納部内で保護されているので、重ね合わせ時に該凸部への衝突を未然に防ぐことができ、凸部に悪影響を与えてしまうことを防止することができる。
【００２６】
また、本発明に係る収納トレーは、上記本発明の収納トレーにおいて、前記薄板には、重ね合わせる際の向きを認識するための目印が形成されていることを特徴とする。
【００２７】
この発明に係る収納トレーにおいては、薄板に方向認識用の目印が形成されているので、手動或いはロボット等の機械で自動的に第１の収納トレーと第２の収納トレーとを重ねる際に、向きを間違えることなく両トレーを確実に予め決められた向きで重ね合わせることができる。従って、重ね合わせ作業をより効率良く行うことができる。特に、ロボット等の機械で重ね合わせ作業を行う場合には、目印を指標としてプログラミングできるので、制御が非常に容易になる。
【００２８】
また、本発明に係る収納トレーは、上記本発明の収納トレーにおいて、前記薄板の外縁の少なくとも一部分には、該薄板の上方に向けて折曲された後、薄板の下方に向けて折曲された膨出部が形成され、前記第１の収納トレーと前記第２の収納トレーとを重ねた時に、前記膨出部同士が重なり合うことで両トレーが前記２方向に対して位置決めされることを特徴とする。
【００２９】
この発明に係る収納トレーにおいては、薄板の外縁に膨出部が形成されているので、第１の収納トレーと第２の収納トレーとを重ね合わせる際に、膨出部を重ね初めの手掛かりとして利用できる。よって、よりスピーディに重ね合わせ作業を行うことができる。しかも、膨出部同士が重なり合うことで、両トレーが縦方向及び横方向の２方向（面内方向）に対して位置決めされるので、重ね合わせの途中でずれてしまうことがない。従って、より安定した状態で重ね合わせを行うことができると共に、被収納物の凸部に対して何ら負荷を与えない状態を確実に維持し続けることができる。なお、膨出部は、薄板の外縁の全周に亘って或いは外縁の一部分に形成されていれば良い。つまり、外縁の少なくとも一部分に形成されていれば良い。
【００３０】
また、本発明に係る収納トレーは、上記本発明の収納トレーにおいて、前記薄板から前記収納部よりも下方に突出するように形成された複数の突起部と、前記薄板に形成され、前記第１の収納トレーと前記第２の収納トレーとを予め決められた向きで重ね合わせた時に前記突起部が嵌り込んで収容される複数の嵌合孔と、を備え、前記複数の突起部が、前記第１の収納トレーと前記第２の収納トレーとを予め決められた向きとは異なる向きで重ね合わせた時に、前記収納部に収納された前記被収納物に当接することを特徴とする。
【００３１】
この発明に係る収納トレーにおいては、第１の収納トレーと第２の収納トレーとを重ね合わせる際に、予め決められた向きではなく間違って異なる向きで重ねてしまったときに、向きの間違いを速やかに認識することができる。
詳細に説明すると、異なった向きで両トレーを重ねてしまった場合には、上段側のトレーに形成された突起部が、下段側のトレーに下向き状態で収納されている被収納物の下面に当接する。しかも突起部は、収納部よりも下方に突出するように形成されているので、両トレーが完全に重なり合うよりも前に当接する。そのため、両トレーがこれ以上重なり合うことがなく、上段側のトレーが若干浮いた状態になる。よって、向きの間違いを速やかに認識することができる。
【００３２】
一方、両トレーを予め決められた向きで重ね合わせた場合には、上段側のトレーに形成された突起部は、下段側のトレーに形成された嵌合孔内に嵌り込んで収容される。そのため、突起部に邪魔されることなく、両トレーを完全に重ね合わせることができる。
【００３３】
また、本発明に係る収納トレーは、上記本発明の収納トレーにおいて、前記第１の収納トレー及び前記第２の収納トレーが、同一のトレーであり、前記複数の収納部が、前記第１の収納トレーと前記第２の収納トレーとを同じ向きで重ねた時に、それぞれの収納部が重なり合うと共に、第１の収納トレーに対して第２の収納トレーを前記２方向に直交する垂直軸回りに１８０度回転させた状態で両トレーを重ねた時に、上段側のトレーの前記収納部が下段側のトレーの前記窪み部の上方に位置するように形成されていることを特徴とする。
【００３４】
この発明に係る収納トレーにおいては、第１の収納トレーと第２の収納トレーとが別物ではなく、複数の収納部の配置等が全く同じ同一のトレーとされている。
この際、複数の収納部は、両トレーを同じ向きで重ねた時に重なり合い、第１の収納トレーに対して第２の収納トレーを１８０度回転させて反対向きにした状態で重ねた時に、上段側のトレーの収納部が下段側のトレーの窪み部の上方に位置するように形成されている。よって、予め決められた向きで重ね合わせるとは、両トレーを同じ向きにした状態から、一方のトレーを１８０度回転させて反対向きにした状態で重ね合わせることである。これにより、被収納物の凸部に何ら負荷を与えることなく、両トレーを重ね合わせることができる。
特に、両トレーを同一のトレーとすることができるので、トレーを安価に作製することができ、被収納物の低コスト化に繋げることができる。
【００３５】
また、本発明に係る収納トレーは、上記本発明の収納トレーにおいて、前記薄板が、前記横方向の長さよりも前記縦方向の長さが長い平面視矩形状に形成され、前記複数の収納部が、前記縦方向に対しては前記薄板の横中心ラインを中心として左右対称に形成されると共に、前記横方向に対しては前記薄板の縦中心ラインを中心として左右非対称に形成されていることを特徴とする。
【００３６】
この発明に係る収納トレーにおいては、複数の収納部が、縦方向に対しては薄板の横中心ラインを中心として左右対称に形成され、横方向に対しては薄板の縦中心ラインを中心として左右非対称に形成されているので、第１の収納トレーと第２の収納トレーとを予め決められた向きで重ね合わせた時に、両トレーの収納部が横方向に半ピッチずれた状態となって重なり合う。この状態で、被収納物の凸部に何ら負荷を与えることなく両トレーを重ね合わせることができる。
【００３７】
また、本発明に係る収納トレーは、上記本発明の収納トレーにおいて、前記複数の収納部が、一定間隔を空けた状態で前記横方向に複数列並ぶように形成されていると共に、両端の２列に並んだ収納部が前記薄板の外縁からそれぞれ下記に示す距離だけ離間していることを特徴とする。
一方の列に並んだ前記収納部が距離Ｂ1だけ離間し、他方の列に並んだ前記収納部が距離〔Ｂ1＋（Ｄ＋Ｂ0）／２〕だけ離間。
Ｄ；前記収納部の横方向の長さ
Ｂ0；前記一定間隔
【００３８】
この発明に係る収納トレーにおいては、複数の収納部が、一定間隔を空けた状態で横方向に複数列並ぶように形成されており、両端の２列のうち、一方の列に並んだ収納部が薄板の外縁から距離Ｂ1だけ離間し、他方の列に並んだ収納部が薄板の外縁から距離〔Ｂ1＋（Ｄ＋Ｂ0）／２〕だけ離間するように形成されている。そのため、両トレーを予め決められた向きで重ね合わせた時に、両トレーの収納部は確実に横方向に半ピッチずれた状態となって重なり合う。
【００３９】
また、本発明に係る収納体は、上記本発明の収納トレーと、上面の一部に凸部を有し、前記収納トレーの前記収納部に収納された被収納物と、を備えていることを特徴とする。
【００４０】
この発明に係る収納体によれば、大量の被収納物を、品質を保ったまま少ないスペースで効率よく保管したり、コスト高を招いたり人手に負担を与えることなく搬送したりすることができる。
【００４１】
また、本発明に係る収納体は、上記本発明の収納体のおいて、前記凸部が、指針軸であり、前記被収納物が、時計駆動装置であることを特徴とする。
【００４２】
この発明に係る収納体によれば、指針軸を有する時計用駆動装置を保管や搬送することができる。
【発明の効果】
【００４３】
本発明に係る収納トレーによれば、凸部を有する被収納物を複数収納できると共に、凸部に何ら影響を与えることなく重ね合わせることができる。しかも、重ね合わせた時に全体の高さを極力低減することができる。その結果、大量の被収納物を、品質を保ったまま少ないスペースで効率良く保管したり、コスト高を招いたり人手に負担を与えることなく搬送したりすることができる。
【００４４】
また、本発明に係る収納体によれば、上記収納トレーを有しているので、大量の被収納物を、品質を保ったまま少ないスペースで効率良く保管したり、コスト高を招いたり人手に負担を与えることなく搬送したりすることができる。
【発明を実施するための最良の形態】
【００４５】
（第１実施形態）
以下、本発明に係る第１実施形態を、図１から図１１を参照して説明する。なお、本実施形態では、被収納物の一例として、上面の一部に指針軸（凸部）Ｍ１を有する時計ムーブメント（被収納物）Ｍを収納するトレーを例に挙げて説明する。
本実施形態の収納トレー１は、図１に示すように、時計ムーブメントＭをそれぞれ収納することができる第１の収納トレー２及び第２の収納トレー３を備えている。なお、収納トレー１に複数の時計ムーブメントＭが収納されると、収納パッケージ（収納体）Ｐとなる。
【００４６】
ここで、時計ムーブメントＭについて簡単に説明する。本実施形態の時計ムーブメントＭは、図２（ａ）及び図２（ｂ）に示すように、直径が２３ｍｍ〜２４ｍｍ程度の小型の部品であって、上面の中心に指針軸Ｍ１が突出している。この指針軸Ｍ１は、直径が０．２ｍｍ程度の軸であり、時計に組み込まれた時に針が取り付けられるようになっている。また、時計ムーブメントＭは、周縁に鍔部Ｍ２が形成されるように下面側が段付きになるように外形形成されている。
【００４７】
第１の収納トレー２及び第２の収納トレー３は、図１に示すように、時計ムーブメントＭをそれぞれ５０個ずつ収納することができるトレーであり、互いに重ね合わせ可能とされている。即ち、第１の収納トレー２に第２の収納トレー３を重ねたり、第２の収納トレー３に第１の収納トレー２を重ねたりできるようになっている。
なお、本実施形態の第１の収納トレー２及び第２の収納トレー３は、別物のトレーではなく、後述する収納部１１の配置等が全く同じ同一のトレーである。そのため、ここでは第１の収納トレー２を代表として、詳細に説明する。また、本実施形態では、両トレー２、３を重ねた時に、上段側のトレー２（或いは３）の収納部１１の下面が下段側のトレー３（或いは２）の隙間領域１５の上面に当接することで、高さ方向（上下方向）の位置決めがされる場合を例に挙げて説明する。
【００４８】
図３及び図４に示すように、第１の収納トレー２は、例えば、厚さ１ｍｍ以下の薄板１０を真空成形等の手法で成形したものであり、全面に亘って時計ムーブメントＭを収納する複数（５０個）の収納部１１が互いに直交する縦方向（矢印Ｌ１方向）及び横方向（矢印Ｌ２方向）の２方向に沿って格子状に並んだ状態で形成されている。
【００４９】
薄板１０は、ポリスチレン樹脂等からなる樹脂シートであり、横方向の長さよりも縦方向の長さが長い平面視矩形状に形成されたものである。この薄板１０の外縁には、該薄板１０の上方に向けて折曲された後、薄板１０の下方に向けて外拡がりテーパ状に折曲された膨出部１２が略全周に亘って形成されている。
この膨出部１２は、第１の収納トレー２と第２の収納トレー３とを重ね合わせたときに、上段側のトレーに形成された膨出部１２と重なり合うようになっている。これにより、第１の収納トレー２及び第２の収納トレー３は、縦方向及び横方向の２方向（面内方向）に対して位置決めされるようになっている。
【００５０】
また、膨出部１２の下端は、水平方向に向けて折曲された縁部１３となっている。この縁部１３は、薄板１０の四隅に相当する４つの角部のうち３箇所が曲面加工（Ｒ加工）されているが、１箇所が斜めにカットされた切欠部１４となっている。この切欠部１４は、第１の収納トレー２と第２の収納トレー３とを重ね合わせる際の向きを認識するための目印として機能するものである。
【００５１】
上記収納部１１は、薄板１０の上面側が開口となるように該薄板１０に凹み形成されることで、有底状に形成されている。この際、収納部１１は、時計ムーブメントＭの外形に合わせて段付きに凹み形成されており、時計ムーブメントＭの鍔部Ｍ２が当接する段部１１ａを有している。これにより、収納部１１内に、指針軸Ｍ１を上方に向けた状態で時計ムーブメントＭを収納することができるようなっている。
【００５２】
また、収納部１１は、横方向に一定間隔を空けて５列並び、且つ、一列あたり縦方向に１０個連続して並ぶように形成されている。この際、収納部１１は、縦方向に関しては薄板１０の横中心ラインＣ２を中心として左右対称に形成されていると共に、横方向に関しては薄板１０の縦中心ラインＣ１を中心として左右非対称に形成されている。
【００５３】
ここで、横方向に関する収納部１１の配列について詳細に説明する。
まず、収納部１１は、一定間隔Ｂ0を空けた状態で５列に並んでいる。そして、両端の２列に並んだ収納部１１は、薄板１０の外縁に形成された膨出部１２の外側からそれぞれ下記に示す距離だけ離間するように設計されている。
即ち、一方の列に並んだ収納部１１は、距離Ｂ1だけ離間し、他方の列に並んだ収納部１１は距離〔Ｂ1＋（Ｄ＋Ｂ0）／２〕だけ離間するように設計されている。
なお、上記Ｄは、収納部１１の横方向の長さである。
【００５４】
そのため、５０個の収納部１１は、全体的に片側（図３の紙面に対して右側）に寄っており、上述したように縦中心ラインＣ１を中心として左右非対称となっている。このように収納部１１の形成位置が設計されているため、第１の収納トレー２に対して第２の収納トレー３を２方向に直交する垂直軸回りに１８０度回転させた状態で両トレー２、３を重ねた場合には、両トレー２、３の収納部１１が横方向に半ピッチずれた状態となって重なると共に、上段側の一方のトレーの後述する隙間１６が下段側の他方のトレーの収納部１１の上方に位置するようになっている。つまり、上段側の一方のトレーの収納部１１の下面が下段側の他方のトレーの後述する隙間領域１５の上面に当接するようになっている。
一方、第１の収納トレー２と第２の収納トレー３とを同じ向きで重ねた場合には、それぞれの収納部１１が重なり合うようになっている。
【００５５】
ところで、薄板１０の残りの領域のうち、隣り合う収納部１１の開口の間に位置する領域は、隙間領域１５とされている。この隙間領域１５は、薄板１０の下面側に谷間状に窪んだ隙間１６が確保されている領域である。つまり、図４に示すように、収納部１１は凹み形成されたものであるので、収納部１１間には、谷間状に窪んだ隙間１６が存在する。そして、薄板１０の下面側にこの隙間１６が確保された領域が隙間領域１５となる。
【００５６】
そして、第１の収納トレー２と第２の収納トレー３とを予め決められた向き、即ち、第１の収納トレー２に対して第２の収納トレー３を反対向きにした状態で重ね合わせると、上段側の一方のトレーの収納部１１の下面が、下段側の他方のトレーの隙間領域１５の上面に当接すると共に、上段側の一方のトレーの隙間１６が下段側の他方のトレーの収納部１１の上方に位置するようになっている。この点については、後に詳細に説明する。
【００５７】
また、薄板１０には、図３、図５及び図６に示すように、複数の突起部１７及び嵌合孔１８がそれぞれ形成されている。本実施形態では、それぞれ１２個ずつ形成されている場合を例にしている。
突起部１７は、薄板１０から収納部１１よりも下方に突出するように形成されたものである。また、嵌合孔１８は、第１の収納トレー２と第２の収納トレー３とを予め決められた向きで重ね合わせた時に、突起部１７に対向する位置に形成されており、該突起部１７が嵌り込んで収容される孔である。
ところで、複数の突起部１７は、第１の収納トレー２と第２の収納トレー３とを予め決められた向きとは異なる向き、即ち、両トレー２、３を同じ向きで重ね合わせた時に、収納部１１に収納された時計ムーブメントＭの上面に当接するようになっている。この点についても、後に詳細に説明する。
【００５８】
また、薄板１０の外縁から距離〔Ｂ1＋（Ｄ＋Ｂ0）／２〕だけ離間した列の収納部１１と、膨出部１２との間には、長穴状に凹んだ凹部１９が複数形成されている。この凹部１９は、薄板１０の剛性低下を防ぐ補強目的のためのものであり、縦方向に沿って間隔を空けた状態で膨出部１２の近傍に形成されている。
なお、この凹部１９の下面は、収納部１１の下面と同じ高さで面一となるように設計されており、両トレー２、３を重ねた時に、下段のトレーに収納された時計ムーブメントＭを上から押さえる役割も担っている。
なお、第２の収納トレー３は、上述したように第１の収納トレー２と同一のトレーであるため、説明を省略する。
【００５９】
次に、このように構成された収納トレー１を利用して、時計ムーブメントＭを収納する場合について説明する。なお、本実施形態では、複数枚用意した第１の収納トレー２及び第２の収納トレー３に対して、時計ムーブメントＭを先に収納した後、重ね合わせていく場合を例にして説明する。
【００６０】
初めに、第１の収納トレー２及び第２の収納トレー３をそれぞれ複数枚用意しておく。次に、図１に示すように、まず第１の収納トレー２に形成された５０個の収納部１１に時計ムーブメントＭを順次収納する。この際、図７に示すように、指針軸Ｍ１が上方に向くように時計ムーブメントＭを収納する。すると時計ムーブメントＭは、鍔部Ｍ２が収納部１１の段部１１ａ上に載った状態で収納される。これにより、時計ムーブメントＭは、安定且つ確実に各収納部１１に収納された状態となる。
続いて、第１の収納トレー２と同様に、第２の収納トレー３にも５０個の時計ムーブメントＭを収納する。これにより、複数枚用意された両トレー２、３にそれぞれ５０個ずつ時計ムーブメントＭが収納される。つまり、第１の収納トレー２及び第２の収納トレー３で構成される収納トレー１に時計ムーブメントＭを収納した、図１に示す収納パッケージＰを得ることができる。
【００６１】
次に、図８に示すように、時計ムーブメントＭが収納された第１の収納トレー２と第２の収納トレー３とを交互に重ね合わせる。なお、図８では、４段だけ図示している。この際、両トレー２、３を予め決められた向きで重ね合わせていく。つまり、図８に示すように、第１の収納トレー２に対して第２の収納トレー３が１８０度反対向きとなるよう回転させた状態で、両トレー２、３を重ね合わせる。このとき両トレー２、３には、方向認識用の切欠部１４が形成されているので、該切欠部１４の向きが交互に反対側に位置するように重ね合わせることで、間違えることなく両トレー２、３を予め決められた向きで確実に重ね合わせることができる。
【００６２】
従って、重ね合わせ作業を確実且つ効率良く行うことができる。しかも、両トレー２、３には、薄板１０の外縁の略全周に亘って膨出部１２が形成されているので、この膨出部１２を重ね始めの手掛かりとして利用できる。よって、スピーディに重ね合わせ作業を行うことができる。
【００６３】
なお、第１の収納トレー２に第２の収納トレー３を重ね合わせた後、図８に示すように、さらに第１の収納トレー２、第２の収納トレー３、第１の収納トレー２・・というように交互に重ねていく。この際、両トレー２、３を重ねる度に、上述したように切欠部１４で向きを確認しながら重ねていく。
【００６４】
両トレー２、３を重ねると、図９に示すように、上段側の第２の収納トレー３の収納部１１の下面が、下段側の第１の収納トレー２の隙間領域１５の上面に当接する。これにより、両トレー２、３は高さ方向に位置決めされると共に、密着した状態で安定的に重なった状態となる。なお、図９では、４段だけ図示している。
しかもこの際、上段側の第２の収納トレー３の隙間１６、即ち、凹み形成によって突出した収納部１１間に形成された谷間状の窪みが、下段側の第１の収納トレー２の収納部１１の上方に位置するようになっている。そのため、下段側の第１の収納トレー２に収納されている時計ムーブメントＭの上方に、空間を確保することができる。
【００６５】
従って、時計ムーブメントＭの指針軸Ｍ１が薄板１０の上面から飛び出るほど両トレー２、３の厚みを薄くしたとしても、重ね合わせた際に上段の第２の収納トレー３が指針軸Ｍ１に接触することがなく、該指針軸Ｍ１に何ら影響（負荷）を与えることがない。よって、重ね合わせた時の全体の高さを極力低減することができると同時に、指針軸Ｍ１への接触を未然に防いで悪影響を与えてしまうことを防止することができる。その結果、大量の時計ムーブメントＭを、品質を保ったまま少ないスペースで効率良く保管したり、コスト高を招いたり、人手に負担を与えることなく搬送したりすることができる。
【００６６】
また、第１の収納トレー２及び第２の収納トレー３にそれぞれ形成された複数の収納部１１は、横方向に対しては縦中心ラインＣ１を中心に左右非対称に形成されている。つまり、一定間隔を空けた状態で横方向に複数列（５列）並ぶように形成されており、両端の２列のうち、一方の列に並んだ収納部１１が薄板１０の外縁から距離Ｂ1だけ離間し、他方の列に並んだ収納部１１が薄板１０の外縁から距離〔Ｂ1＋（Ｄ＋Ｂ0）／２〕だけ離間するように形成されている。
そのため、両トレー２、３を重ね合わせたときに、両トレー２、３の収納部１１は横方向に半ピッチずれた状態となって重なり合う。従って、収納部１１に収納された時計ムーブメントＭの上方に、上段側のトレーの隙間１６を高精度に位置させることができる。
【００６７】
また、両トレー２、３を交互に安定して重ね合わせることができるので、多段に重ねても安定性に優れている。特に、両トレー２、３を重ね合わせると、図９に示すように、膨出部１２同士が重なり合う。そのため、両トレー２、３は、面内方向に対して位置決めされるので、重ね合わせの途中でずれてしまうことがない。従って、より安定した状態で重ね合わせを行うことができると共に、時計ムーブメントＭの指針軸Ｍ１に対して何ら負荷を与えない状態を確実に維持し続けることができる。
【００６８】
加えて、本実施形態では、第１の収納トレー２と第２の収納トレー３とが同一のトレーであるので、トレーを一度に大量に作製でき安価に仕上げることができる。その結果、時計ムーブメントＭ自体の低コスト化に繋げることができる。
【００６９】
ところで、両トレー２、３を重ね合わせた際、図１０に示すように、上段側の第２の収納トレー３に形成された突起部１７は、下段側の第１の収納トレー２に形成された嵌合孔１８内に嵌り込んで収納される。そのため、この突起部１７に邪魔されることなく、両トレー２、３を完全に重ね合わせることができる。
【００７０】
次に、両トレー２、３を重ね合わせる際に、予め決められた向きではなく間違って異なる向き、即ち両トレー２、３を同じ向きで重ねてしまった場合について説明する。
この場合には、図１１に示すように、上段側の第２の収納トレー３に形成された突起部１７が、下段側の第１の収納トレー２の収納部１１に収納されている時計ムーブメントＭの指針軸Ｍ１を除く上面に当接する。しかも突起部１７は、収納部１１よりも下方に突出するように形成されているので、両トレー２、３が完全に重なり合うよりも前に当接する。そのため、両トレー２、３がこれ以上重なり合うことがない。よって、指針軸Ｍ１に上段側の第２の収納トレー３が接触する等して負荷を与えてしまうことを防止することができる。
従って、間違った向きで重ねてしまった場合であっても、時計ムーブメントＭの品質を維持することができる。その結果、信頼性の高い収納トレー１とすることができる。なお、本実施形態では、両トレー２、３を同じ向きで重ねてしまった際に、突起部１７が下段側のトレーに収納されている時計ムーブメントＭの指針軸Ｍ１を除く上面に当接するように構成したが、この場合に限られず、下段側のトレーの隙間領域１５の上面に当接するようにしても構わないし、両方に当接するようにしても構わない。
【００７１】
なお、上記実施形態では、複数枚の第１の収納トレー２及び第２の収納トレー３に時計ムーブメントＭを先に収納した後に、重ね合わせる場合を例にしたが、この場合に限定されるものではない。例えば、第１の収納トレー２に時計ムーブメントＭを収納した後、空の第２の収納トレー３を重ね、その後、該第２の収納トレー３に時計ムーブメントＭを収納する順番でも良い。この場合には、次に空の第１の収納トレー２を重ねた後、該第１の収納トレー２に時計ムーブメントＭを収納し、その後、空の第２の収納トレー３を重ねるといった工程を繰り返す。
このような順番としても、同様の作用効果を奏することができる。
【００７２】
（第２実施形態）
次に、本発明に係る第２実施形態を、図１２から図１５を参照して説明する。なお、この第２実施形態においては、第１実施形態における構成要素と同一の部分については、同一の符号を付しその説明を省略する。
第２実施形態と第１実施形態との異なる点は、複数の収納部１１の配列が異なる点である。即ち、第１実施形態では、複数の収納部１１を薄板１０の縦中心ラインＣ１を中心として左右非対称で、且つ、横中心ラインＣ２を中心として左右対称になるように形成したが、第２実施形態では、複数の収納部１１を縦中心ラインＣ１及び横中心ラインＣ２を中心として、それぞれ左右非対称に形成した点である。
【００７３】
即ち、本実施形態の収納トレー２３は、図１２及び図１３に示すように、複数の収納部１１が薄板１０の縦中心ラインＣ１及び横中心ラインＣ２を中心として、それぞれ左右非対称に形成された第１の収納トレー２０及び第２の収納トレー２１を備えている。
また、本実施形態の第１の収納トレー２０及び第２の収納トレー２１は、両トレー２０、２１を重ね合わせたときに、高さ方向（上下方向）を位置決めするための段差部１２ａを備えている。即ち、本実施形態では、膨出部１２の外側が部分的に段付きに形成されており、この段付きに形成された部分が段差部１２ａとされている。この段差部１２ａは、薄板１０の上側に２箇所、下側に２箇所、左側に４箇所、右側に３箇所ずつそれぞれ形成されている。しかも、段差部１２ａの位置は、第１の収納トレー２０に対して第２の収納トレー２１を１８０度回転させた向きで重ね合わせたときに互いに重ならないように、上側と下側とで位置が異なり、左側と右側とで位置が異なるように形成されている。
【００７４】
これにより、両トレー２０、２１を重ね合わせたときに、上段側の収納トレーの段差部１２ａは、下段側の収納トレーの段差部１２ａに重なることがないうえで、図１４に示すように上段側の収納トレーの段差部１２ａが下段側の収納トレーの膨出部１２の上面に重なるようになっている。このように本実施形態では、上段側の段差部１２ａが下段側の膨出部１２上に乗ることで、両トレー２０、２１の高さ方向の位置決めがされるようになっている。
【００７５】
このように構成された収納トレー２３を利用して時計ムーブメントＭを収納した場合について簡単に説明する。
まず、両収納トレー２０、２１に時計ムーブメントＭを収納した後、両収納トレー２０、２１を予め決められた向き（互いに１８０度逆向き）に重ね合わせると、図１４に示すように、上段側の収納トレーの段差部１２ａが下段側の収納トレーの膨出部１２上に乗った状態で安定的に重なる。そして、図１３及び図１５に示すように、両トレー２０、２１にそれぞれ収納された時計ムーブメントＭが千鳥状に配列された状態となる。
【００７６】
このように本実施形態では、複数の収納部１１が薄板１０の縦中心ラインＣ１及び横中心ラインＣ２を中心としてそれぞれ左右非対称に形成されているので、千鳥状に配列した形で収納される。
特に、本実施形態の収納トレー２３によれば、上段側の段差部１２ａが下段側の膨出部１２上に乗った状態で両トレー２０、２１が重なるので、図１５に示すように、収納されている時計ムーブメントＭに対して上段側の収納トレーは接触しない。そのため、多段に重ねた際の荷重が段差部１２ａ及び膨出部１２を通じて下方に逃げていく形になる。従って、収納されている時計ムーブメントＭで荷重が伝わってしまうことを極力防止することができるので、より好ましい。
【００７７】
加えて、多段（例えば１０段以上）重ねた後、複数の収納トレー２０、２１をビニール紐等の線材を利用して結束し、梱包する場合に好適である。つまり、線材で結束する場合には、線材を介して膨出部１２に力が加わってしまうが、膨出部１２の一部に段差部１２ａが形成されていることで膨出部１２自体の剛性が上がっており、該膨出部１２が外力によって変形し難い。従って、結束時に収納トレー２０、２１が歪み難く、歪みに起因する時計ムーブメントＭへの負荷を抑えることができる。従って、収納トレー２０、２１を重ねた後、線材を利用して結束し、梱包したとしても、時計ムーブメントＭに何ら影響を与え難く、品質を維持し続けることができる。
【００７８】
なお、上記第２実施形態では、段差部１２をそれぞれ薄板１０の上側に２箇所、下側に２箇所、左側に４箇所、右側に３箇所ずつ形成したが、これらの数に限定されるものではない。また、上下左右ではなく、上下だけに段差部１２ａを形成しても構わないし、左右だけに段差部１２ａを形成しても構わない。これらの場合であっても、同様の作用効果を奏することができる。更には、段差部１２ａに相当する突起を薄板１０に複数形成（第１の収納トレー２０に対して第２の収納トレー２１を１８０度回転させたときに、突起同士が重ならない位置に形成）して、高さ方向の位置決めを行っても構わない。
【００７９】
なお、本発明の技術範囲は上記実施の形態に限定されるものではなく、本発明の趣旨を逸脱しない範囲において種々の変更を加えることが可能である。
【００８０】
例えば、上記各実施形態では、凸部を有する被収納物の一例として、指針軸Ｍ１を有する時計ムーブメントＭを例に挙げて説明したが、他の機械部品や電子部品であっても構わない。また、時計ムーブメントの一例として、下面側が段付きとなって周縁に鍔部Ｍ２が形成された時計ムーブメントＭを例に挙げて説明したが、この形状に限定されるものではない。例えば、周縁に段の無い平面視丸型でも構わないし、平面視角型の時計ムーブメントでも構わない。この場合には、収納部１１の形状を時計ムーブメントの形状に応じて変えれば良い。なお、鍔部の無い時計ムーブメントの場合には、収納部１１の底面と接触することで、収納部１１に収納される。いずれの場合であっても、収納時の状態が若干変わるだけであり、その他の作用効果は上記実施形態と同じである。
【００８１】
また、上記各実施形態では、複数の収納部１１が５例×１０個の合計５０個形成されている場合を例にしたが、一列あたりの数や、列の数は自由に設計して構わない。例えば、１０列×５個で合計５０個形成しても構わない。また、合計の数は、５０個に限定されるものではない。例えば、合計２５個や１００個でも構わない。
また、上記第１実施形態では突起部１７及び嵌合孔１８がそれぞれ１２個ずつ形成されている場合を例にしたが、この数に限定されるものではなく、自由に設計して構わない。
また、上記各実施形態では、膨出部１２を薄板１０の外縁の略全周に亘って形成した場合を例に挙げたが、全周ではなく部分的に形成しても構わない。少なくとも薄板１０の外縁の一部分に膨出部１２を形成することで、面内方向の位置決めを行えれば良い。
【００８２】
また、上記各実施形態では、薄板１０を平面視矩形状に形成したが、平面視正方形状でも構わない。また、縁部１３の一部を斜めにカットした切欠部１４を方向認識用の目印としたが、切り欠きではなく何らかの指標を記すことで目印としても構わない。
また、上記各実施形態において、第１の収納トレー及び第２の収納トレーに時計ムーブメントＭを収納する作業や、両トレーを重ねる作業を、ロボット等の機械で行っても良い。特に、ロボット等の機械を利用して両トレーを重ね合わせ作業を行う場合には、切欠部１４が形成されていることが好ましい。即ち、切欠部１４を指標とするようにプログラミングすることで、両トレーの向きを高精度に認識できるので、作業をより確実に行えると共に、制御が非常に容易になる。
【００８３】
また、上記第１実施形態では、複数の収納部１１を薄板１０の縦中心ラインＣ１を中心として左右非対称に形成し、第１の収納トレー２と第２の収納トレー３とを予め決められた向きに重ね合わせたときに、両トレー２、３の収納部１１が横方向に半ピッチずれるようにした場合を例に挙げたが、収納部１１の配列はこの場合に限定されるものではない。例えば、縦方向に対しては薄板１０の横中心ラインＣ２を中心として左右非対称に形成すると共に、横方向に対しては薄板１０の縦中心ラインＣ１を中心として左右対称となるように形成しても構わない。
このように収納部１１を形成した場合には、第１の収納トレー２と第２の収納トレー３とを予め決められた向きに重ね合わせた時に、両トレー２、３の収納部１１を縦方向に半ピッチずれるようにすることができる。それ以外に関しては、上記実施形態と同一の作用効果を奏することができる。
【００８４】
また、上記各実施形態では、第１の収納トレーと第２の収納トレーとが同一のトレーの場合を例に挙げて説明したが、同一でなくても構わない。即ち、複数の収納部１１の配列や形成位置がそれぞれ異なる第１の収納トレーと第２の収納トレーとしても構わない。この場合であっても、第１の収納トレーと第２の収納トレーとを予め決められた向きに重ね合わせた時に、一方のトレーの収納部１１の下面が他方のトレーの隙間領域１５の上面に当接し、一方のトレーの隙間１６が他方のトレーの収納部１１の上方に位置する関係になれば、収納部１１をそれぞれ自由に形成して構わない。
【００８５】
また、第１の収納トレーと第２の収納トレーとを重ね合わせた時に、上記第１実施形態では、上段側の収納トレーの収納部１１の下面が下段側の収納トレーの隙間領域１５の上面に当接することで、高さ方向の位置決めがなされ、第２実施形態では、膨出部１２の段差を利用して高さ方向の位置決めがなされたが、これら位置決め方法は両実施形態に相互に利用することが可能である。つまり、第１実施形態において、膨出部１２の段差を利用して高さ方向の位置決めをしても構わない。また、第２実施形態において、上段側の収納トレーの収納部１１の下面が下段側の収納トレーの隙間領域１５の上面に当接することで、高さ方向の位置決めをしても構わない。
【００８６】
また、上記各実施形態では、指針軸Ｍ１を上向きにした状態で時計ムーブメントＭを収納した場合を例にしたが、指針軸Ｍ１を下向きにした状態で収納するように構成しても構わない。この場合の収納トレーについて説明する。
図１６に示すように、収納トレー３０は、時計ムーブメントＭを下向きに収納する複数の収納部３５と、これら複数の収納部３５の間で凹み形成された窪み部３６と、をそれぞれ有する第１の収納トレー３１及び第２の収納トレー３２を備えている。
【００８７】
収納部３５は、一部が下方に突出した突出部３５ａとなっており、指針軸Ｍ１を内部に収納して保護できるようになっている。そして、両収納トレー３１、３２を予め決められた向きに重ね合わせた時に、上段側の収納トレーの収納部３５が下段側の収納トレーの窪み部３６の上方に位置すると共に、収納部３５の一部、即ち突出部３５ａが窪み部３６内に入り込んで収容されるようになっている。
【００８８】
このように構成された収納トレー３０の場合であっても、上述した第１実施形態と同様の作用効果を奏することができる。つまり、両トレー３１、３２を予め決められた向きで重ねると、上段側の収納トレーの収納部３５が下段側の収納トレーの窪み部３６の上方に位置すると共に、突出部３５ａが窪み部３６に入り込んで収容される。従って、時計ムーブメントＭの指針軸Ｍ１を収納するために突出部３５ａがトレーの下方に向けて突出していたとしても、この突出している部分の厚みを窪み部３６で吸収することができる。
よって、重ね合わせた時の全体の高さを極力低減することができる。しかも、指針軸Ｍ１は収納部３５内で保護されているので、重ね合わせ時に指針軸Ｍ１への衝突を未然に防ぐことができ、指針軸Ｍ１に悪影響を与えてしまうことを防止することができる。
【図面の簡単な説明】
【００８９】
【図１】本発明に係る収納トレーの第１実施形態を示す構成図である。
【図２】図１に示す収納トレーに収納する時計ムーブメントを示す図であって、（ａ）は上面図、（ｂ）は側面図である。
【図３】図１に示す収納トレーを構成する第１の収納トレーの上面図である。
【図４】図３に示す第１の収納トレーの断面矢視Ａ−Ａ図である。
【図５】図３に示す第１の収納トレーの断面矢視Ｂ−Ｂ図である。
【図６】図３に示す第１の収納トレーの断面矢視Ｃ−Ｃ図である。
【図７】図３に示す第１の収納トレーの各収納部に時計ムーブメントを収納した状態を示す断面図である。
【図８】図１に示す第１の収納トレー及び第２の収納トレーの各収納部に時計ムーブメントを収納した後に、両トレーを予め決められた向きで重ね合わせる際の向きを示す図である。
【図９】第１の収納トレーと第２の収納トレーとを、予め決められた向きで重ね合わせたときの断面図である。
【図１０】第１の収納トレーと第２の収納トレーとを予め決められた向きで重ね合わせたときの、突起部と嵌合孔との関係を示す断面図である。
【図１１】第１の収納トレーと第２の収納トレーとを予め決められた向きとは異なる向きで重ね合わせてしまったときの、突起部と時計ムーブメントとの関係を示す断面図である。
【図１２】本発明に係る収納トレーの第２実施形態を示す図であって、複数の収納部が縦中心ライン及び横中心ラインを中心としていずれの方向にも左右非対称に形成されているトレーを示す図である。
【図１３】図１２に示すトレーに時計ムーブメントを収納した後に重ね合わせた状態を示す図である。
【図１４】両トレーを重ね合わせたときの段差部周辺を拡大した図である。
【図１５】両トレーを重ね合わせたときの断面図である。
【図１６】本発明に係る収納トレーの変形例を示す図であって、時計ムーブメントを下向きにした状態でトレーを重ね合わせたときの断面図である。
【符号の説明】
【００９０】
Ｍ…時計ムーブメント（被収納物）
Ｐ…収納パッケージ（収納体）
Ｍ１…指針軸（凸部）
Ｃ１…縦中心ライン
Ｃ２…横中心ライン
１、２３、３０…収納トレー
２、２０、３１…第１の収納トレー
３、２１、３２…第２の収納トレー
１０…薄板
１１、３５…収納部
１２…膨出部
１４…切欠部（目印）
１５…隙間領域
１６…隙間
１７…突起部
１８…嵌合孔
３６…窪み部
【図１】
2010006417.tif 000003
【図２】
2010006417.tif 000004
【図３】
2010006417.tif 000005
【図４】
2010006417.tif 000006
【図５】
2010006417.tif 000007
【図６】
2010006417.tif 000008
【図７】
2010006417.tif 000009
【図８】
2010006417.tif 000010
【図９】
2010006417.tif 000011
【図１０】
2010006417.tif 000012
【図１１】
2010006417.tif 000013
【図１２】
2010006417.tif 000014
【図１３】
2010006417.tif 000015
【図１４】
2010006417.tif 000016
【図１５】
2010006417.tif 000017
【図１６】
2010006417.tif 000018
【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
上面の一部に凸部を有する被収納物を収納する収納トレーであって、
薄板と、
互いに直交する縦方向及び横方向の２方向に沿って格子状に並んだ状態で、薄板の上面側が開口となるように該薄板に凹み形成され、前記被収納物を内部に収納する複数の有底状の収納部と、
薄板の残りの領域のうち隣り合う収納部の開口の間に位置し、薄板の下面側に谷間状に窪んだ隙間が確保された隙間領域と、
をそれぞれ有する互いに重ね合わせ可能とされた第１の収納トレー及び第２の収納トレーを備え、
前記第１の収納トレーと前記第２の収納トレーとを予め決められた向きで重ね合わせた時に、上段側のトレーの前記隙間が下段側のトレーの前記収納部の上方に位置するとともに、
前記薄板から前記収納部よりも下方に突出するように形成された複数の突起部と、
前記薄板に形成され、前記第１の収納トレーと前記第２の収納トレーとを予め決められた向きで重ね合わせた時に前記突起部が嵌り込んで収容される複数の嵌合孔と、を更に備え、
前記複数の突起部は、前記第１の収納トレーと前記第２の収納トレーとを予め決められた向きとは異なる向きで重ね合わせた時に、前記隙間領域の上面と前記収納部に収納された前記被収納物の上面とのうち少なくともいずれか一方に当接することを特徴とする収納トレー。
【請求項２】
上面の一部に凸部を有する被収納物を収納する収納トレーであって、
薄板と、
互いに直交する縦方向及び横方向の２方向に沿って格子状に並んだ状態で、薄板の上面側が開口となるように該薄板に凹み形成され、前記被収納物を内部に収納する複数の有底状の収納部と、
薄板の残りの領域のうち隣り合う収納部の開口の間に位置し、薄板の下面側に谷間状に窪んだ隙間が確保された隙間領域と、
をそれぞれ有する互いに重ね合わせ可能とされた第１の収納トレー及び第２の収納トレーを備え、
前記第１の収納トレーと前記第２の収納トレーとを予め決められた向きで重ね合わせた時に、上段側のトレーの前記隙間が下段側のトレーの前記収納部の上方に位置するとともに、上段側のトレーの収納部の下面が、下段側のトレーの収納部の隙間領域の上面に当接することを特徴とする収納トレー。
【請求項３】
請求項１又は２に記載の収納トレーにおいて、
前記薄板には、重ね合わせる際の向きを認識するための目印が形成されていることを特徴とする収納トレー。
【請求項４】
請求項１から３の何れか１項に記載の収納トレーにおいて、
前記薄板の外縁の少なくとも一部分には、該薄板の上方に向けて折曲された後、薄板の下方に向けて折曲された膨出部が形成され、
前記第１の収納トレーと前記第２の収納トレーとを重ねた時に、前記膨出部同士が重なり合うことで両トレーが前記２方向に対して位置決めされることを特徴とする収納トレー。
【請求項５】
請求項１から４のいずれか１項に記載の収納トレーにおいて、
前記第１の収納トレー及び前記第２の収納トレーは、同一のトレーであり、
前記複数の収納部は、前記第１の収納トレーと前記第２の収納トレーとを同じ向きで重ねた時に、それぞれの収納部が重なり合うと共に、第１の収納トレーに対して第２の収納トレーを前記２方向に直交する垂直軸回りに１８０度回転させた状態で両トレーを重ねた時に、上段側のトレーの前記隙間が下段側のトレーの前記収納部の上方に位置するように形成されていることを特徴とする収納トレー。
【請求項６】
請求項１から５のいずれか１項に記載の収納トレーにおいて、
前記薄板は、前記横方向の長さよりも前記縦方向の長さが長い平面視矩形状に形成され、
前記複数の収納部は、前記縦方向に対しては前記薄板の横中心ラインを中心として左右対称に形成されると共に、前記横方向に対しては前記薄板の縦中心ラインを中心として左右非対称に形成されていることを特徴とする収納トレー。
【請求項７】
請求項６に記載の収納トレーにおいて、
前記複数の収納部は、一定間隔を空けた状態で前記横方向に複数列並ぶように形成されていると共に、両端の２列に並んだ収納部が前記薄板の外縁からそれぞれ下記に示す距離だけ離間していることを特徴とする収納トレー。
一方の列に並んだ前記収納部が距離Ｂ1だけ離間し、他方の列に並んだ前記収納部が距
離〔Ｂ1＋（Ｄ＋Ｂ0）／２〕だけ離間。
Ｄ；前記収納部の横方向の長さ
Ｂ0；前記一定間隔
【請求項８】
上面の一部に凸部を有する被収納物を収納する収納トレーであって、
薄板と、
互いに直交する縦方向及び横方向の２方向に沿って格子状に並んだ状態で薄板に凹み形成され、前記凸部を下向きにした状態で前記被収納物を内部に収納する複数の有底状の収納部と、
これら複数の収納部の間で薄板に凹み形成された窪み部と、
をそれぞれ有する互いに重ね合わせ可能とされた第１の収納トレー及び第２の収納トレーを備え、
前記第１の収納トレーと前記第２の収納トレーとを予め決められた向きで重ね合わせた時に、上段側のトレーの前記収納部が下段側のトレーの前記窪み部の上方に位置すると共に、収納部の一部が窪み部内に入り込んで収容され、
前記薄板から前記収納部よりも下方に突出するように形成された複数の突起部と、
前記薄板に形成され、前記第１の収納トレーと前記第２の収納トレーとを予め決められた向きで重ね合わせた時に前記突起部が嵌り込んで収容される複数の嵌合孔と、を更に備え、
前記複数の突起部は、前記第１の収納トレーと前記第２の収納トレーとを予め決められた向きとは異なる向きで重ね合わせた時に、前記収納部に収納された前記被収納物に当接することを特徴とする収納トレー。
【請求項９】
請求項８に記載の収納トレーにおいて、
前記薄板には、重ね合わせる際の向きを認識するための目印が形成されていることを特徴とする収納トレー。
【請求項１０】
請求項８又は９に記載の収納トレーにおいて、
前記薄板の外縁の少なくとも一部分には、該薄板の上方に向けて折曲された後、薄板の下方に向けて折曲された膨出部が形成され、
前記第１の収納トレーと前記第２の収納トレーとを重ねた時に、前記膨出部同士が重なり合うことで両トレーが前記２方向に対して位置決めされることを特徴とする収納トレー。
【請求項１１】
請求項８から１０のいずれか１項に記載の収納トレーにおいて、
前記第１の収納トレー及び前記第２の収納トレーは、同一のトレーであり、
前記複数の収納部は、前記第１の収納トレーと前記第２の収納トレーとを同じ向きで重ねた時に、それぞれの収納部が重なり合うと共に、第１の収納トレーに対して第２の収納トレーを前記２方向に直交する垂直軸回りに１８０度回転させた状態で両トレーを重ねた時に、上段側のトレーの前記収納部が下段側のトレーの前記窪み部の上方に位置するように形成されていることを特徴とする収納トレー。
【請求項１２】
請求項８から１１のいずれか１項に記載の収納トレーにおいて、
前記薄板は、前記横方向の長さよりも前記縦方向の長さが長い平面視矩形状に形成され
、
前記複数の収納部は、前記縦方向に対しては前記薄板の横中心ラインを中心として左右対称に形成されると共に、前記横方向に対しては前記薄板の縦中心ラインを中心として左右非対称に形成されていることを特徴とする収納トレー。
【請求項１３】
請求項１２に記載の収納トレーにおいて、
前記複数の収納部は、一定間隔を空けた状態で前記横方向に複数列並ぶように形成されていると共に、両端の２列に並んだ収納部が前記薄板の外縁からそれぞれ下記に示す距離だけ離間していることを特徴とする収納トレー。
一方の列に並んだ前記収納部が距離Ｂ1だけ離間し、他方の列に並んだ前記収納部が距
離〔Ｂ1＋（Ｄ＋Ｂ0）／２〕だけ離間。
Ｄ；前記収納部の横方向の長さ
Ｂ0；前記一定間隔
【請求項１４】
請求項１から１３のいずれか１項に記載の収納トレーと、
上面の一部に凸部を有し、前記収納トレーの前記収納部に収納された被収納物と、を備えていることを特徴とする収納体。
【請求項１５】
請求項１４に記載の収納体において、
前記凸部は、指針軸であり、
前記被収納物は、時計駆動装置であることを特徴とする収納体。